(57)【要約】【課題】バックライトの発光が液晶パネルの周縁部から正面側に漏れ出すことを防止し、液晶パネルの正面に表示される画像の品質向上に寄与し得る液晶表示装置及びテレビジョン受信機を提供する。【解決手段】矩形平板状の導光板２１と、この導光板２１の下縁２１ａに対向するＬＥＤ光源２２とをバックライトシャーシ２０内に収容してなるバックライト２を、液晶パネル１の背面に対向配置してある構成において、導光板２１の上縁２１ｂと、バックライトシャーシ２０の側壁との間に上部遮光板３を介装し、この上部遮光板３により導光板２１の上縁２１ｂを覆って、導光板２１内の光が外部に漏れ出すことを防止する。【選択図】図２
2014038318.tif 000002
【特許請求の範囲】
【請求項１】
矩形平板状をなす導光板と該導光板の一側縁に対向する光源とを筐体内に収容してなるバックライトを液晶パネルの背面に対向させて配置し、前記導光板の一面からの出射光を前記液晶パネルにより変調して透過させ、該液晶パネルの正面に画像を表示する液晶表示装置において、
前記導光板の他側縁と、該他側縁に対向する前記筐体の側壁との間に介装され、前記他側縁を覆う遮光部材を備えることを特徴とする液晶表示装置。
【請求項２】
前記遮光部材は、前記導光板の他側縁と前記筐体の側壁とに夫々当接する当て板と、両当て板を接離する方向への相対移動可能に連結する連結板とを備えることを特徴とする請求項１に記載の液晶表示装置。
【請求項３】
前記導光板の他側縁に当接する当て板に連設され、前記導光板の一面の周縁部を覆う覆い板を備えることを特徴とする請求項２に記載の液晶表示装置。
【請求項４】
前記導光板の他側縁に当接する当て板に連設され、前記液晶パネルの背面周縁部に弾接し、該周縁部を前記導光板から離反する向きに押圧付勢する付勢板を備えることを特徴とする請求項２又は請求項３に記載の液晶表示装置。
【請求項５】
請求項１から請求項４のいずれか１つに記載の液晶表示装置と、
テレビジョン放送を受信する受信部とを備え、
該受信部にて受信したテレビジョン放送に基づいて、前記液晶表示装置に画像を表示するようにしてあることを特徴とするテレビジョン受信機。
【発明の詳細な説明】
【技術分野】
【０００１】
本発明は、液晶パネルを画像表示部として備える液晶表示装置及びテレビジョン受信機に関する。
【背景技術】
【０００２】
液晶表示装置は、液晶パネルの背面にバックライトを配置し、該バックライトの発光を液晶パネルにより変調して透過させ、該液晶パネルの正面に画像を表示するように構成されている。この液晶表示装置においては、近年、消費電力の低減と薄型化とを併せて実現するために、ＬＥＤ（発光ダイオード）を光源とするエッジライト型のバックライトが採用されている（例えば、特許文献１参照）。
【０００３】
エッジライト型のバックライトは、矩形皿形の筐体（バックライトシャーシ）内に導光板及び光源を収容して構成されている。導光板は、透光性を有する樹脂製の平板の一面に反射シートを被着してなり、該反射シートの被着面をバックライトシャーシの底面に向け、該底面を覆うようにバックライトシャーシに収容されている。
【０００４】
光源としてのＬＥＤは、長寸短冊形をなすＬＥＤ基板に単列又は複列に並べて複数実装され、実装面を導光板の一側縁に対向させてバックライトシャーシに取付けてある。各ＬＥＤの発光は、対向する側縁を経て導光板内に入射し、一面の反射シートでの全反射と他面での部分反射を繰り返して伝播し、前記他面の全面から出射される。液晶パネルは、導光板の他面に光学シートを介して積層されており、導光板からの出射光は、光学シートの作用により拡散されて液晶パネルの背面に照射される。
【０００５】
このように構成された液晶表示装置においては、光源からの発光の一部が導光板を経ずに液晶パネルの同側周縁部に直接入射し、該液晶パネルの正面側に漏れ出して、該正面に表示される画像の品質を低下させるという問題がある。この問題に対応するため従来においては、光源と同側の液晶パネルの側縁に沿って遮光部材を配置し、該遮光部材の作用により光源からの漏れ出し光を遮断する構成が採用されている（例えば、特許文献２参照）。
【先行技術文献】
【特許文献】
【０００６】
【特許文献１】国際公開第２００８／１０８０３９号パンフレット
【特許文献２】特開２００１−１１７０９７号公報
【発明の概要】
【発明が解決しようとする課題】
【０００７】
一方、光源の発光は、導光板の内部全般に伝播しており、この導光の多くは、前述の如く液晶パネルに照射されるが、一部の導光は、光源に対向しない残りの側縁にまで達して外部に出射され、光源の発光と同様に、液晶パネルの対応する周縁部から正面側に漏れ出して表示画像の品質低下の原因となり得る。
【０００８】
この漏れ出し光の影響は、光源からの直接的な漏れ出し光よりも小さいことから、従来においては、液晶パネルの表面（画像表示面）の周縁部を縁取るように装着される枠形の正面キャビネットにより漏れ出し光を遮断する程度の対策が講じられているに過ぎない。
【０００９】
しかしながら正面キャビネットは、液晶パネルを表面側から押える樹脂製の枠体であり、液晶パネルの表面との間に局所的な隙間が存在し、この隙間を通して光が漏れ出すことが避けられず、十分な遮光効果を期待することはできない。
【００１０】
また、近年の液晶表示装置においては、正面キャビネットの液晶パネルの表示面を縁取る部分（額縁部分）の幅を狭くすることによる意匠性の向上が図られており、狭額縁化を図った液晶表示装置においては、正面キャビネットによる遮光効果は一層低下し、漏れ出し光による画像品質の低下を防止することは難しい。
【００１１】
更に、狭額縁化を図った液晶表示装置においては、液晶パネルの側縁の夫々と正面キャビネットとの重なり幅が不均等になり易く、重なり幅が小さい部分で多くの漏れ出し光が発生して画像品質の更なる低下を招来する虞れがある。
【００１２】
本発明は斯かる事情に鑑みてなされたものであり、バックライトの発光が液晶パネルの周縁部から正面側に漏れ出すことを簡素な構成により確実に防止し、液晶パネルの正面に表示される画像の品質向上に寄与し得る液晶表示装置及びテレビジョン受信機を提供することを目的とする。
【課題を解決するための手段】
【００１３】
本発明に係る液晶表示装置は、矩形平板状をなす導光板と該導光板の一側縁に対向する光源とを筐体内に収容してなるバックライトを液晶パネルの背面に対向させて配置し、前記導光板の一面からの出射光を前記液晶パネルにより変調して透過させ、該液晶パネルの正面に画像を表示する液晶表示装置において、前記導光板の他側縁と、該他側縁に対向する前記筐体の側壁との間に介装され、前記他側縁を覆う遮光部材を備えることを特徴とする。
【００１４】
本発明においては、光源に対向する側縁を除く導光板の側縁を、該側縁と筐体の側壁との間に介装された遮光部材により覆い、該遮光部材の作用により導光板内の光を遮光して外部への漏れ出しを防止する。バックライトの発光は、液晶パネルの周縁部から正面側に漏れ出すことがなく、漏れ出し光による表示画像の品質低下を防止することができる。
【００１５】
また本発明に係る液晶表示装置は、前記遮光部材が、前記導光板の他側縁と前記筐体の側壁とに夫々当接する当て板と、両当て板を接離する方向への相対移動可能に連結する連結板とを備えることを特徴とする。
【００１６】
本発明においては、連結板の付勢作用により導光板の他側縁に当て板を密着させ、該当て板により他側縁を隙間なく覆って、導光板内の光の漏れ出しを確実に防止する。各側縁に密着する当て板は、筐体内での導光板を位置決め手段としても機能し、また連結板の作用により導光板の熱膨張を吸収する機能も果たすから、液晶パネルに対する導光板の位置関係を常に適正に保ち、確実な光照射により液晶パネルの表示画像の品質を良好に保つことができる。
【００１７】
また本発明に係る液晶表示装置は、前記導光板の他側縁に当接する当て板に連設され、前記導光板の一面の周縁部を覆う覆い板を備えることを特徴とする。
【００１８】
本発明においては、導光板の周縁部の一面が当て板に連続する覆い板により覆われるから、導光板の周縁部からの光の漏れ出しをより確実に防止し、液晶パネルの表示画像の品質を良好に保つことができる。
【００１９】
また本発明に係る液晶表示装置は、前記導光板の他側縁に当接する当て板に連設され、前記液晶パネルの背面周縁部に弾接し、該周縁部を前記導光板から離反する向きに押圧付勢する付勢板を備えることを特徴とする。
【００２０】
本発明においては、当て板に連続する付勢板が液晶パネルの背面周縁部を押圧板から離反する方向に押圧付勢する。液晶パネルは、正面周縁部を覆う枠形の正面キャビネットに押し付けられて密着する。これにより、成形誤差、組立て誤差、使用中の変形等に起因して正面キャビネットと液晶パネルとの間に発生する隙間を可及的になくし、この隙間を経て液晶パネルの正面側に漏れ出す光を更に減じて、液晶パネルの表示画像の品質を良好に保つことができる。
【００２１】
更に本発明に係るテレビジョン受信機は、上記のいずれかに記載の液晶表示装置と、テレビジョン放送を受信する受信部とを備え、該受信部にて受信したテレビジョン放送に基づいて、前記液晶表示装置に画像を表示するようにしてあることを特徴とする。
【００２２】
本発明においては、液晶パネルの周縁からの漏れ出し光に起因する表示画像の品質低下を軽微に抑え得るテレビジョン受信機を提供することができる。
【発明の効果】
【００２３】
本発明においては、光源に対向していない導光板の側縁を遮光部材で覆ったから、液晶パネルの周縁部から正面側への漏れ出し光を軽微に抑え、液晶パネルの画像品質の向上に寄与することが可能となる等、本発明は優れた効果を奏する。
【図面の簡単な説明】
【００２４】
【図１】実施の形態１に係る液晶表示装置の外観を略示する斜視図である。
【図２】図１のII−II線による縦断面図である。
【図３】導光板の上縁を覆う上部遮光板の斜視図である。
【図４】図１のIVーIV線による横断面図である。
【図５】導光板の左右の側縁を覆う側部遮光板の斜視図である。
【図６】実施の形態２に係る側部遮光板及び上部遮光板の斜視図である。
【図７】図６に示す側部遮光板及び上部遮光板の位置関係の説明図である。
【図８】実施の形態３に係る側部遮光板の斜視図である。
【図９】図８に示す側部遮光板の動作説明図である。
【図１０】図８に示す側部遮光板の動作説明図である。
【発明を実施するための形態】
【００２５】
以下本発明をその実施の形態を示す図面に基づいて詳述する。
（実施の形態１）
図１は、実施の形態１に係る液晶表示装置の外観を略示する斜視図、図２は、図１のII−II線による縦断面図である。図示のように液晶表示装置は、画像表示用の液晶パネル１と、該液晶パネル１に光を照射するバックライト２とを備えている。
【００２６】
液晶パネル１は、アレー基板とカラーフィルタ基板との間に液晶を封入し、これらの両面に偏光板を積層してなる公知の構成を有している。液晶パネル１には、矩形枠形をなす正面キャビネット１０が、正面（画像表示面）の周縁部を適幅に亘って縁取るように組み付けてある。図２には、以上の如き液晶パネル１を矩形板状のパネルとして略示してある。図１には、正面キャビネット１０の枠内に露出する液晶パネル１の画像表示面のみが示されている。液晶パネル１の背面側は、バックライト２の外筐を構成するバックライトシャーシ２０により覆われている。バックライトシャーシ２０は、正面キャビネット１０の背面側に後述の如く組み付けられ、液晶表示装置の外装体を構成している。
【００２７】
図１に示す液晶表示装置は、バックライトシャーシ２０の背面に取付けた受信部１１及び信号処理部１２を備えるテレビジョン受信機として構成することができる。受信部１１は、図示しないアンテナに接続され、該アンテナを介してテレビジョン放送を受信する。信号処理部１２は、受信部１１が受信したテレビジョン放送に係るデータを復調し、復調したデータから画像データを分離し、分離した画像データを出力する。液晶パネル１は、信号処理部１２が出力した画像データに基づく画像を画像表示面に表示する。
【００２８】
液晶表示装置は、更にスタンド１３を備えている。スタンド１３は、バックライトシャーシ２０の一長辺の中央部から垂直に突き出す脚柱の先端に、該脚柱に対して略垂直に拡がるようにＨ形に成形された脚部を連設してなる。液晶表示装置は、載置面上にスタンド１３を介して支持し、液晶パネル１の画像表示面を縦姿勢に保って使用される。以下の説明においては、液晶パネル１の画像表示面の側を前、他側を後とする。また、以下の説明で使用する上、下は、前述した使用状態での上、下に対応し、同じく左、右は、使用状態において前側から見て左、右に対応する。
【００２９】
図２に示す如く、バックライト２は、バックライトシャーシ２０、導光板２１及びＬＥＤ光源２２を備えている。バックライトシャーシ２０は、矩形の底板の周縁を略垂直に立ち上げて短寸の側壁を周設し、浅底皿形に成形された金属製の筐体である。導光板２１は、アクリル樹脂等の透光性を有する樹脂製の平板の一面に反射シート２３を被着してなる光学部材であり、液晶パネル１よりもやや小さい矩形に成形され、反射シート２３の被着面を底板の側に向け、該底板の略全面を覆うようにバックライトシャーシ２０に収容されている。
【００３０】
ＬＥＤ光源２２は、基板２４の一面にＬＥＤ２５を実装してなる。ＬＥＤ２５は、例えば、青色光を発光するＬＥＤ素子の表面を黄色蛍光体が分散された樹脂で封止してなる表面実装型ＬＥＤであり、白色光を発光する光源として構成されている。ＬＥＤ光源２２は、バックライトシャーシ２０と正面キャビネット１０との間に後述の如く挾持されるヒートシンク２６に基板２４を固定し、ＬＥＤ２５の実装面を導光板２１の下縁２１ａに対向させて取付けてある。基板２４は、導光板２１の下縁２１ａに対応する長さを有する長寸短冊状をなしており、ＬＥＤ２５は、基板２４の長手方向に複数並べて実装されている。図２中には、基板２４の断面が、該基板２４に実装された一つのＬＥＤ２５と共に図示してある。
【００３１】
導光板２１の上縁２１ｂは、バックライトシャーシ２０の上部側壁に対向しており、これらの対向面間には、上部遮光板３が介装されている。図３は、上部遮光板３の斜視図である。上部遮光板３は、２枚の当て板３０，３１の一側を連結板３２により連結して構成されており、図２に示す如く、一方の当て板３０をバックライトシャーシ２０の上部側壁に、他方の当て板３１を導光板２１の上縁２１ｂに夫々当接させ、連結板３２による連結側をバックライトシャーシ２０の底板側に向けて介装されている。
【００３２】
当て板３１は、当接対象となる導光板２１の上縁２１ｂに対応する幅を有し、上縁２１ｂの全長に亘って延びる平板である。当て板３０も略等しい幅及び長さを有する平板であって、連結板３２は、これらの当て板３０，３１の幅方向同側の側縁を連結している。
【００３３】
図３に示す如く、連結板３２は、一方の当て板３０の側縁から他方の当て板３１に向けて垂直に立ち上がる縦板部と、該縦板部の先端縁に連続し、他側の側縁に向けて斜めに延び当て板３０，３１と略同幅の位置で逆向きに折り返されて他方の当て板３１の一側縁に連続する弾性板部とを備えている。
【００３４】
また当て板３１の他側縁には、覆い板３１ａが連設されている。覆い板３１ａは、当て板３１から他方の当て板３０と逆向きに略垂直に立ち上がり、図２に示す如く上部遮光板３が介装された際に、導光板２１の上縁２１ｂ近傍の前面に当接し、適幅に亘って覆うように設けられている。
【００３５】
以上の如き上部遮光板３は、図３に示す断面に相当する孔型を使用した押し出し成形により、全長に亘って連続した樹脂の一体成形品として容易に製造することができ、前述したように介装されることにより、当て板３１が導光板２１の上縁２１ｂを覆い、該当て板３１に連続する覆い板３１ａが上縁２１ｂ近傍の導光板２１の前面を覆うこととなり、導光板２１内の光を遮断し、前記上縁２１ｂ及び該上縁２１ｂ近傍の前面から漏れ出すことを防止する作用をなす。
【００３６】
図４は、図１のIV−IV線による横断面図であり、液晶表示装置の右側部分の内部構造が示されている。本図に示す導光板２１の右側縁２１ｃは、バックライトシャーシ２０の右側壁に対向しており、これらの間に側部遮光板４が介装されている。図５は、側部遮光板４の斜視図である。側部遮光板４は、上部遮光板３と同様、２枚の当て板４０，４１とこれらの一側を連結する連結板４２とを備え、当て板４０をバックライトシャーシ２０の右側壁に、他方の当て板４１を導光板２１の右側縁２１ｃに夫々当接させ、連結板４２による連結側をバックライトシャーシ２０の底板側に向けて介装されている。
【００３７】
当て板４０，４１は、導光板２１の右側縁２１ｂに対応する幅及び長さを有する平板である。当て板４０，４１の一側縁を連結する連結板４２は、当て板４０の一側縁から他側縁に向けて斜めに延び、当て板４０，４１と略同幅の位置で逆向きに折り返されて他方の当て板４１の一側縁に連続した形状を有する弾性板部として構成されている。
【００３８】
また当て板４１の他側縁には、他方の当て板４０と逆向きに略垂直に立ち上がるように覆い板４１ａが連設されている。この覆い板４１ａは、図４に示す如く側部遮光板４が介装された際に、右側縁２１ｃ近傍の導光板２１の前面に当接し、適幅に亘って覆うように設けられている。
【００３９】
以上の如き側部遮光板４は、図５に示す断面に相当する孔型を使用した押し出し成形により、上部遮光板３と同様に、全長に亘って連続した樹脂の一体成形品として容易に製造することができる。この側部遮光板４を前述の如く介装することにより、導光板２１の右側縁２１ｃは当て板４１により覆われ、また右側縁２１ｃ近傍の導光板２１の前面は、当て板４１に連続する覆い板４１ａにより覆われるから、導光板２１内の光が導光板２１の右側縁２１ｃ及び該右側縁２１ｃ近傍の導光板２１の前面から漏れ出すことを防止することができる。側部遮光板４は、図示しない導光板２１の左側縁にも同様に介装されており、導光板２１内の光は、導光板２１の左側縁近傍からも漏れ出す虞れはない。
【００４０】
液晶表示装置は、図２に示すように、以上の如く構成されたバックライト２の導光板２１の前面に光学シート群１４を介して液晶パネル１を重ね、該液晶パネル１の前面を覆う正面キャビネット１０の周縁に後向きに延設された鍔部をバックライトシャーシ２０の側壁の外側に嵌め合わせ、正面キャビネット１０に後向きに突設された固定用のボス部１５にバックライトシャーシ２０の該当位置に通した複数本（１本のみ図示）の固定ボルト１６を締め付け、正面キャビネット１０とバックライトシャーシ２０との間に、液晶パネル１及び導光板２１を挾持せしめて組み立てられている。
【００４１】
バックライトシャーシ２０の下部に配したＬＥＤ光源２２は、基板２４が固定されたヒートシンク２６の一部を、前記ボス部１５とバックライトシャーシ２０の底板との間に挟み、固定ボルト１６の締め付けにより一体に挾持し、前述の如く、ＬＥＤ２５の実装面を導光板２１の下縁２１ａに対向させて取付けてある。この取付けにより、ヒートシンク２６は、金属製のバックライトシャーシ２０に密着せしめられ、ＬＥＤ光源２２のＬＥＤ２５が発光に伴って発生する熱は、基板２４、ヒートシンク２６を介してバックライトシャーシ２０に伝わり、該バックライトシャーシ２０の後面から外部に放熱される。
【００４２】
ＬＥＤ光源２２の各ＬＥＤ２５の発光は、夫々に対向する下縁２１ａを経て導光板２１内に入射し、該導光板２１の内部で後面に被着した反射シート２３での全反射と前面での部分反射を繰り返して進行し、導光板２１の前面全体に分布して出射される。この出射光は、光学シート群１４により拡散されて液晶パネル１の背面に照射され、液晶パネル１は、バックライト２からの照射光を内部に封入された液晶の駆動により変調して透過させ、前面に画像を表示する。
【００４３】
導光板２１内を進行する光は、上縁２１ｂに達するが、該上縁２１ｂは上部遮光板３の当て板３１により覆われており、上縁２１ｂに達した光は、上部遮光板３の作用により外部に漏れ出すことなく遮光される。上部遮光板３は、当て板３１に連設された覆い板３１ａを備え、該覆い板３１ａは、上縁２１ｂ近傍の導光板２１の前面を覆っているから、上縁２１ｂ近傍での導光板２１の前方への光の漏れ出しも防止することができる。
【００４４】
また導光板２１内を進行する光は、右側縁２１ｃ及び図示しない左側縁にも達するが、右側縁２１ｃ及び左側縁には、上部遮光板３と同様の構成を有する側部遮光板４が配してあり、右側縁２１ｃ及び左側縁に達した光は、側部遮光板４の作用により外部に漏れ出すことなく確実に遮光される。
【００４５】
上部遮光板３及び側部遮光板４は、一部又は全部が弾性板部として構成された連結板３２，４２を備えており、当て板３１，４１は、連結板３２，４２の弾性により付勢されて導光板２１の側縁（上縁２１ｂ、右側縁２１ｃ及び左側縁）に隙間なく密着せしめられるから、夫々の側縁からの光の漏れ出しを確実に防止することができる。
【００４６】
なお、導光板２１の下縁２１ａに対向配置されたＬＥＤ光源２２の前方には、図２に示す如く、導光板２１と液晶パネル１の背面との間を遮断するように下部遮光板５が配してあり、ＬＥＤ光源２２からの発光の直接的な漏れ出しを防止するように構成されている。下部遮光板５は、前述した特許文献２等においても採用されている公知の構成である。
【００４７】
実施の形態１の液晶表示装置においては、ＬＥＤ光源２２からの直接的な光の漏れ出しだけでなく、導光板２１の他の側縁（上縁２１ｂ、右側縁２１ｃ及び左側縁）からの光の漏れ出しも確実に防止することができ、この漏れ出し光が液晶パネル１の対応する周縁部を照らすことにより発生する表示画像の品質低下を抑制し、良好な画像品質を確保することができる。
【００４８】
また連結板３２，４２の弾性により導光板２１に押し付けられる上部遮光板３及び側部遮光板４は、バックライトシャーシ２０内で導光板２１を、上、下及び左、右に位置決めする作用をなすから、液晶表示装置の組み立てに際し、導光板２１と液晶パネル１との位置合わせが容易となるという効果もある。
【００４９】
また、バックライト２のＬＥＤ光源２２は、発光に伴って熱を発生する。この発生熱の多くは、前述の如く、ヒートシンク２６を介して外部に放熱されるが、発生熱の一部は、バックライトシャーシ２０内に留まり導光板２１を加熱し、該導光板２１の熱膨張を引き起こす。導光板２１の周囲に介装された上部遮光板３及び側部遮光板４は、連結板３２，４２の弾性変形により導光板２１の熱膨張を吸収し、該導光板２１の変形及び位置ずれを防止する作用をなし、バックライト２は、長期に亘って安定した光照射を継続することが可能となる。
【００５０】
上部遮光板３の連結板３２に前述の如く設けられた縦板部は、図２に示す如く、前方に開口する凹部を形成し、液晶パネル１の上縁２１ｂにリードを介して接続される液晶駆動用のＦＰＣ（Flexible Printed Circuit）基板１７の収容空間を確保すべく設けてある。ＦＰＣ基板１７は、液晶パネル１の下縁２１ａにも同様に接続してあり、このＦＰＣ基板１７は、バックライトシャーシ２０の外側に引き出され、該バックライトシャーシ２０の後面に基板カバー１８で覆って固定されている。
【００５１】
なお、ＦＰＣ基板１７が左右の側縁にも接続してある液晶パネル１を用いる場合には、同側に介装される側部遮光板４を上部遮光板３と同様の形状とすることで対応することができる。
【００５２】
（実施の形態２）
図６は、実施の形態２に係る側部遮光板及び上部遮光板の斜視図、図７は、図６に示す側部遮光板及び上部遮光板の位置関係の説明図である。
【００５３】
図６には、導光板２１の上縁２１ｂと右側縁２１ｃとの間の角部と共に上部遮光板３及び側部遮光板４の一部が示されている。側部遮光板４は、実施の形態１に示す側部遮光板４と同様、２枚の当て板４０，４１とこれらの一側を連結する連結板４２とを備え、当て板４１を導光板２１の右側縁２１ｃに当て、該右側縁２１ｃの全面を、全長に亘って覆うように装着される。
【００５４】
実施の形態２の側部遮光板４は、更に、前記当て板４１の上端部に連設された押え板４３と、該押え板４３と連結板４５を介して連結された上当て板４４とを備えている。押え板４３は、当て板４１と直角をなし、該当て板４１の上端部から左側（当て板４０及び連結板４２の逆側）に延びる短寸の板である。上当て板４４は、押え板４３と略平行をなす同寸の板であり、連結板４５は、押え板４３の一側縁から斜め上方に延び、上当て板４４の他側縁に連なる形状を有する弾性板部として構成されている。
【００５５】
上部遮光板３は、実施の形態１に示す上部遮光板３とは異なり、１枚の当て板３１と、該当て板３１の一側縁から両方向に延びる覆い板３１ａ、３１ｂを備え、図７に示すようなＴ字形の断面形状を有しており、当て板３１を導光板２１の上縁２１ｂに当て、該上縁２１ｂの全面を全長に亘って覆うように装着される。
【００５６】
このとき、下方に延びる覆い板３１ａは、上縁２１ｂ近傍の導光板２１の前面を適幅に亘って覆い、導光板２１の周縁部から前方への光の漏れ出しを防止する作用をなし、また上方に延びる覆い板３１ｂは、バックライトシャーシ２０の上辺と導光板２１の上縁との間の空間を前側から覆い、該空間内への漏れ光が更に前方に漏れ出すことを防止する作用をなす。
【００５７】
側部遮光板４が備える押え板４３、上当て板４４及び連結板４５は、図７に示す如く、上部遮光板３の当て板３１とバックライトシャーシ２０の上壁との間に介装される。このとき、押え板４３は、当て板３１の上面に当接し、連結板４５は、その弾性により、押え板４３、上当て板４４を夫々の当接部に押し付ける作用をなす。
【００５８】
導光板２１の左側に位置する側部遮光板４も同様の構成を有しており、導光板２１は、左右両端部に介在する押え板４３、上当て板４４及び連結板４５により上下方向に位置決めされる。押え板４３及び上当て板４４を連結する連結板４５は、前述の如く弾性を有しており、導光板２１の熱膨張を吸収し、該導光板２１の位置ずれを防止する作用をなす。バックライト２は、長期に亘って安定した光照射を継続することができる。
【００５９】
また、押え板４３は、上部遮光板３の当て板３１上面に押し付けられており、該当て板３１と導光板２１の上縁２１ｂとの間に隙間が生じないから、上縁２１ｂからの光の漏れ出しを確実に防止することができる。導光板２１の右側縁２１ｃ及び左側縁には、実施の形態１において説明したように、夫々の側に設けた側部遮光板４が押し付けられており、夫々の側縁からの光の漏れ出しも確実に防止することができる。従って、実施の形態２においても、漏れ出し光が液晶パネル１の対応する周縁部を照らすことにより発生する表示画像の品質低下を抑制することができる。更に実施の形態２においては、導光板２１の上縁２１ｂを覆う長寸の部材である上部遮光板３を、図７に示す如く、Ｔ字形断面を有する簡略な形状とすることができる。
【００６０】
（実施の形態３）
図８は、実施の形態３に係る側部遮光板の斜視図、図９、図１０は、図８に示す側部遮光板の動作説明図である。
【００６１】
図８には、導光板２１の右側縁２１ｃを覆う側部遮光板４の一部が示されている。この側部遮光板４は、実施の形態１に示す側部遮光板４と同様、２枚の当て板４０，４１とこれらの一側を連結する連結板４２とを備え、当て板４１を導光板２１の右側縁２１ｃに当て、該右側縁２１ｃの全面を、全長に亘って覆うように装着される。
【００６２】
また当て板４１の他側縁には、他方の当て板４０と逆向きに略垂直に立ち上がるように覆い板４１ａが連設されている。この覆い板４１ａは、図９、図１０に示す如く側部遮光板４が介装された際に、右側縁２１ｃ近傍の導光板２１の周縁部に前面から当接し、適幅に亘って覆うように設けられている。
【００６３】
更に実施の形態３に係る側部遮光板４は、付勢板４６を備えている。付勢板４６は、図８に示す如く、当て板４１の前位置で覆い板４１ａと略平行をなしており、覆い板４１ａの先端部に連結板４７を介して連結されている。連結板４７は、覆い板４１ａの先端部から基部に向けて斜め前方に延びる弾性板部として構成されている。
【００６４】
この側部遮光板４は、実施の形態１におけると同様、導光板２１の右側縁２１ｃを当て板４１により覆い、導光板２１の前面周縁部を覆い板４１ａにより覆うように装着され、導光板２１の右側縁２１ｃ及び該右側縁２１ｃ近傍からの漏れ出し光を防止する作用をなす。このとき付勢板４６は、図９、図１０に示す如く、導光板２１の前方に対向する液晶パネル１の背面周縁部に、該背面に積層された光学シート群１４を介して当接する。付勢板４６は、連結板４７の弾性により液晶パネル１の背面に押し付けられ、該液晶パネル１は、導光板２１から離反する向きに押圧付勢される。
【００６５】
液晶パネル１の正面は、正面キャビネット１０の内周縁に当接せしめられているが、この当接部には、樹脂製の正面キャビネット１０の成形誤差、液晶パネル１、導光板２１を挾持する正面キャビネット１０、バックライトシャーシ２０の組立て誤差、更には、使用中の正面キャビネット１０の熱変形等に起因して隙間が生じる場合がある。一方、液晶パネル１の周縁部分には、画像表示部として機能せず、光透過が可能な領域が不可避に存在しており、導光板２１の前面から出射される光の一部は、図１０中に破線の矢符により示す如く、周縁部の光透領域を経て液晶パネル１の正面側に達し、更に、前述した隙間が存在している場合、この隙間を通って液晶パネル１の周縁部を表面側から照らし、表示画像の品質低下を招来する虞れがある。
【００６６】
実施の形態３に係る側部遮光板４においては、当て板４１に連設された付勢板４６が液晶パネル１の背面に弾接している。前述した隙間が生じた場合、液晶パネル１は、図１０に示す如く、連結板４７の弾性による付勢板４６の押圧付勢により正面キャビネット１０に向けて変位し、該正面キャビネット１０との当接状態を保つことができ、前記隙間を通っての光の漏れ出しを可及的に低減し、この漏れ出し光に起因する表示画像の品質低下を防止することが可能となる。
【００６７】
なお付勢板４６は、図８〜図１０に示す構成に限らず、導光板２１の右側縁２１ｂを覆う当て板４１に連設されており、且つ、液晶パネル１の背面周縁部に弾接し、該周縁部を導光板２１から離反する向きに押圧付勢することが可能であるならば適宜の構成にて設けることができる。また付勢板４６は、当て板４１の全長に亘って連続するように設けられるのが望ましいが、適宜の長さを有する付勢板４６を、当て板４１の長手方向に複数並設してもよい。
【００６８】
以上の如き付勢板４６は、導光板２１の左側縁を覆う側部遮光板、及び導光板２１の上縁２１ｂを覆う上部遮光板３にも同様に設けられる。また付勢板４６は、導光板２１の下縁２１ａに沿って配置される下部遮光板５（図２参照）にも同様に設けられる。これにより、正面キャビネット１０の全周縁において液晶パネル１との間の隙間からの漏れ出し光を低減し、良好な品質での画像表示を行わせることができる。
【００６９】
なお、この明細書に開示された実施の形態は、すべての点で例示であって制限的なものでは無いと考えられるべきである。本発明の範囲は、上記した意味では無く、特許請求の範囲によって示され、特許請求の範囲と均等の意味でのすべての変更が含まれることが意図される。
【００７０】
１    液晶パネル
２    バックライト
３，４  遮光板（遮光部材）
２０  バックライトシャーシ（筐体）
２１  導光板
２１ｂ  上縁
２１ｃ  右側縁
２２  ＬＥＤ光源
３０，３１，４０，４１  当て板
３１ａ，４１ａ  覆い板
３２，４２  連結板
４６  付勢板
【図１】
2014038318.tif 000003
【図２】
2014038318.tif 000004
【図３】
2014038318.tif 000005
【図４】
2014038318.tif 000006
【図５】
2014038318.tif 000007
【図６】
2014038318.tif 000008
【図７】
2014038318.tif 000009
【図８】
2014038318.tif 000010
【図９】
2014038318.tif 000011
【図１０】
2014038318.tif 000012